(57)【要約】  ユーザによる測位システムの使用との関係で、測位に伴う電力消費を節減することのできる通信端末および測位用電源制御プログラムを得ること。  演算処理部１０２のＣＰＵ１０１は、測位処理部１０５が測位用アンテナ１０６を使用して測位を行うとき特定アプリケーションプログラムを起動してたとえばナビゲーションシステムを実現する。ＣＰＵ１０１は、ユーザが折り畳み式の携帯電話機１００を閉じて折り畳み検出スイッチをオンにしたような場合には、特定アプリケーションプログラムを使用する意思が無くなったものとしてタイマ１０８を起動し、所定時間経過後に測位処理を終了させて電源供給部１１２が測位処理部１０５への電源供給を停止させる。
2008044416.tif 000002
【特許請求の範囲】
【請求項１】
地球を周回する複数の通信衛星から送出される信号を少なくとも受信することで受信位置を測位する測位手段と、
この測位手段の測位結果を用いて所定の処理を行う特定アプリケーションプログラムについてその作動を制御する特定アプリケーションプログラム作動制御手段と、
前記測位手段に測位の処理のための電源を供給する電源供給手段と、
前記特定アプリケーションプログラムに対するユーザの利用の有無を判別する特定アプリケーションプログラム利用有無判別手段と、
この特定アプリケーションプログラム利用有無判別手段がユーザの利用が無いと判別したとき前記測位手段に対する前記電源供給手段の電源供給を停止させる電源供給制御手段とを具備することを特徴とする電子機器。
【請求項２】
前記測位結果を表示する表示部を備えた第１の筐体と、各種操作を行う操作部を備えた第２の筐体と、これら第１および第２の筐体を開閉自在に連結するヒンジ部とを備え、前記特定アプリケーションプログラム利用有無判別手段は、前記第１および第２の筐体が閉じられたことを検知するセンサを備え、このセンサが検知したときユーザの利用が無いと判別することを特徴とする請求項１記載の電子機器。
【請求項３】
前記測位結果を表示する表示部と、この表示部が表示に使用されないときその表面を覆うカバーを備え、前記特定アプリケーションプログラム利用有無判別手段は、カバーが閉じられたことを検知するセンサを備え、このセンサが検知したときユーザの利用が無いと判別することを特徴とする請求項１記載の電子機器。
【請求項４】
前記電源供給制御手段は、前記特定アプリケーションプログラム作動制御手段が前記特定アプリケーションプログラムを作動させている間だけ前記測位手段に前記電源供給手段による電源の供給を行わせることを特徴とする請求項１記載の電子機器。
【請求項５】
前記電源供給制御手段は、前記特定アプリケーションプログラム利用有無判別手段がユーザの利用が無いと判別したときから所定時間を計時するタイマを備え、このタイマが前記所定時間を計時した時点で前記測位手段に対する前記電源供給手段の電源供給を停止させることを特徴とする請求項１〜請求項３いずれかに記載の電子機器。
【請求項６】
前記タイマが前記所定時間を計時する前に前記特定アプリケーションプログラム利用有無判別手段がユーザの利用が有ると判別したとき、このタイマの計時をリセットすることを特徴とする請求項５記載の電子機器。
【請求項７】
前記特定アプリケーションプログラムの実行中に測位結果を正常に表示できない障害が発生したとき、前記特定アプリケーションプログラム利用有無判別手段はユーザの利用が無いと判別することを特徴とする請求項１記載の電子機器。
【請求項８】
地球を周回する複数の通信衛星から送出される信号を少なくとも受信することで受信位置を測位する測位手段を備え、この測位手段の測位結果を用いて特定アプリケーションプログラムを実行して所定の処理を行う電子機器のコンピュータが、
前記特定アプリケーションプログラムに対するユーザの利用の有無を判別する特定アプリケーションプログラム利用有無判別処理と、
この特定アプリケーションプログラム利用有無判別処理でユーザの利用が無いと判別したとき前記測位手段に対する電源供給を停止させる電源供給制御処理とを実行することを特徴とする測位用電源制御プログラム。
【請求項９】
前記電源供給制御処理では、前記特定アプリケーションプログラム利用有無判別処理でユーザの利用が無いと判別されたとき、それ以後、所定時間継続してユーザの利用が無いか否かを判別する継続判別処理と、この継続判別処理で前記所定時間継続してユーザの利用が無いと判別されたとき前記測位手段に対する電源供給を停止させる電源停止処理と、前記継続判別処理で前記所定時間に至る前にユーザの利用が有ったと判別されたとき少なくともその時点から前記所定時間は前記測位手段に対する電源供給を行う電源継続供給処理を実行することを特徴とする請求項８記載の測位用電源制御プログラム。
【発明の詳細な説明】
【技術分野】
【０００１】
本発明は、測位の機能を備えた電子機器および測位用電源制御プログラムに係わり、特に携帯電話機や携帯型の測位装置のように測位に関する消費電力を低減するようにした電子機器および測位用電源制御プログラムに関する。
【背景技術】
【０００２】
ＧＰＳ（Global Positioning System）を用いた測位システムは、船舶や飛行機だけでなく、携帯電話機、ＰＨＳ（Personal Handy-phone System）、ＰＤＡ（Personal Digital Assistant）、登山用や散策用の携帯型の測位装置、カーナビゲーションシステム、パーソナルコンピュータ等の各種の電子機器に広く使用されている。たとえば携帯電話機に測位システムを用いると、自装置の近辺のレストランや地下鉄の入り口を簡単に表示させることができる。また、付属のカメラで撮影した風景等の写真を、それらの撮影した時刻と経緯度を用いて地図上に簡単にマッピングすることができる。【０００３】
ところが、このような電子機器のＧＰＳ機能を活用する場合には、地球を周回する複数の通信衛星から電波を受信したり、あるいは更に測位の精度を上げるためには陸上局からの補正信号を受信する必要がある。このため、ＧＰＳ機能を使用している間、その電子機器は通信機能を動作状態にしておく必要がある。したがって、特に電源を電池に頼っている携帯型の電子機器では、ＧＰＳ機能を長時間使用することは電池を短期に消耗してしまうという問題がある。【０００４】
そこで、携帯電話機の通話を行う期間はＧＰＳの受信回路への電力供給を停止し、通話が終了した時点でＧＰＳの受信回路への電力供給を再開することが第１の提案として提案されている（たとえば特許文献１参照）。この第１の提案では、携帯電話機本来の通話による通信とＧＰＳによる受信が時間的に重なると消費電力が大きくなり電池の消耗が激しくなることから、通話が行われている間はＧＰＳの受信回路への電力供給を停止して電池の寿命を延ばすことにしている。【０００５】
しかしながら、携帯電話機を所持している者が自動車等の交通機関を利用している場合には、通話中に場所が刻々と移動する。したがって、通話が長時間に及んだような場合には現在位置を把握できなくなるという問題がある。また、通話終了後にＧＰＳの受信回路への電源を投入することになるが、ＧＰＳの受信回路は電源が投入されてもすぐ位置を測定することができず、たとえば１分程度の時間（初期測位時間）を要することになる。したがって、たとえ通話が短時間で終了したとしても、初期測位時間が経過するまで測位が不可能になる。【０００６】
一方、自動車等の移動体の運転が停止しているときに、それがたとえば２０分といった所定時間以上であればＧＰＳの受信回路への電源の供給を停止することが、第２の提案として提案されている（たとえば特許文献２参照）。この第２の提案では、移動体の運転が停止した場合、その間は現在位置が変更されないという理由でＧＰＳの受信回路への電源供給を停止するようにしている。しかも、交通信号や渋滞によって自動車が停止しても、たとえば２０分といった長時間停止することは想定されない。そこで、このように長時間停止したときには自動車等の移動体の運転が長時間停止する可能性が大きいものとして、これ以後のＧＰＳの受信回路への電源供給を停止している。【０００７】
ところが、この第２の提案では、たとえば２０分とか３０分といった比較的長時間、移動体の運転が停止していることをＧＰＳの受信回路への電源の供給を停止する条件としている。したがって、移動体の運転が停止してから比較的長時間、ＧＰＳによる通信が継続されていることになり、電力消費の無駄が依然として大きいという問題がある。【０００８】
同様に、装置本体の振動を検出して、振動が所定時間検出されないときにＧＰＳの受信回路への電源の供給を停止することが第３の提案として提案されている（たとえば特許文献３参照）。先の第２の提案では移動体のエンジンが掛かっていれば運転が停止しているといえない可能性もあるが、第３の提案ではエンジンが停止し振動も停止すれば、所定時間経過後に電源の供給を停止することができることになる。
【特許文献１】特開平９−３１２６０６号公報（第０００８段落、図３）
【特許文献２】特開平７−２９４２７３号公報（第００２２段落、図４）
【特許文献３】特開２０００−３５２５１９号公報（第００２５段落、図１）
【発明の開示】
【発明が解決しようとする課題】
【０００９】
以上説明した第２の提案および第３の提案は、自動車や電車のような交通機関に主として適用される場合に有益である。携帯電話機等の通信端末の多くは運転そのものに直接関係しない。また、通信端末は主として電子部品で構成されている。したがって、その作動に機械的振動が常に伴うといった装置も少ない。したがって、このような通信端末については、交通機関に主として適用される技術を用いて省電力効果を高めることはできない。【００１０】
もちろん、第３の提案の明細書中には、自己の位置が所定時間以上停止状態にあるときにＧＰＳの受信回路への電源の供給を停止するという技術も開示されている。このように自己の位置が停止状態になるときには、現在位置が変化しないので測位を行う必要がないからである。【００１１】
しかしながら多くの通信端末は、高機能化と共に、通話や電子メールの送受信あるいはインターネットの閲覧といったような異なった複数の目的で使用されており、測位を必ずしも最優先あるいは不可欠の機能として使用するものではない。したがって、たとえば通信端末のユーザが移動中の交通機関に乗車しているような場合で現在の位置が刻々と変化しているような場合であっても、測位機能が必要とされない場合や測位の結果に無関心な場合がある。たとえばユーザが測位機能を活用するアプリケーションプログラムを起動していなければ、その電子機器が測位機能を有していたとしても、ＧＰＳの受信回路への電源の供給は全く無駄である。【００１２】
そこで本発明の目的は、ユーザによる測位システムの使用との関係で、測位に伴う電力消費を節減することのできる電子機器および測位用電源制御プログラムを提供することにある。
【課題を解決するための手段】
【００１３】
請求項１記載の発明では、（イ）地球を周回する複数の通信衛星から送出される信号を少なくとも受信することで受信位置を測位する測位手段と、（ロ）この測位手段の測位結果を用いて所定の処理を行う特定アプリケーションプログラムについてその作動を制御する特定アプリケーションプログラム作動制御手段と、（ハ）測位手段に測位の処理のための電源を供給する電源供給手段と、（ニ）前記した特定アプリケーションプログラムに対するユーザの利用の有無を判別する特定アプリケーションプログラム利用有無判別手段と、（ホ）この特定アプリケーションプログラム利用有無判別手段がユーザの利用が無いと判別したとき測位手段に対する電源供給手段の電源供給を停止させる電源供給制御手段とを電子機器に具備させる。【００１４】
すなわち本発明では、測位手段の測位結果を用いて所定の処理を行う特定アプリケーションプログラムを実行することのできる電子機器に関するもので、測位結果を使用して特定アプリケーションプログラムを実行する際には、電源供給手段は測位手段に測位の処理のための電源を供給する。たとえば電源供給手段は、通信衛星から測位に必要な電波を受信するための電力を測位手段に供給することになる。ここで本発明では、特定アプリケーションプログラム利用有無判別手段を用いて、前記した特定アプリケーションプログラムに対するユーザの利用の有無を判別することにしている。たとえば、その電子機器が折り畳み式の携帯電話機である場合には、ヒンジ機構を介して接続された第１および第２の筐体が閉じられたときには、ユーザの利用が無いと判別する。電源供給制御手段は、この特定アプリケーションプログラム利用有無判別手段がユーザの利用が無いと判別したとき測位手段に対する電源供給手段の電源供給を停止させる。このようにユーザがその特定アプリケーションプログラムを利用しない状態となった場合に、所定時間が経過するか否かは別として測位手段への電源供給を停止することにしたので、測位処理に関する電力消費を低減することができる。【００１５】
特定アプリケーションプログラムに対するユーザの利用の有無の判別は、これ以外についても行うことができる。表示部が表示に使用されないときその表面を覆うカバーを備えた電子機器でカバーがされるようになった場合とか、その特定アプリケーションプログラムが正常に実行されなくなったような場合である。【００１６】
請求項７記載の発明では、地球を周回する複数の通信衛星から送出される信号を少なくとも受信することで受信位置を測位する測位手段を備え、この測位手段の測位結果を用いて特定アプリケーションプログラムを実行して所定の処理を行う電子機器のコンピュータが、測位用電源制御プログラムとして、（イ）前記した特定アプリケーションプログラムに対するユーザの利用の有無を判別する特定アプリケーションプログラム利用有無判別処理と、（ロ）この特定アプリケーションプログラム利用有無判別処理でユーザの利用が無いと判別したとき測位手段に対する電源供給を停止させる電源供給制御処理とを実行することを特徴としている。【００１７】
すなわち本発明では、特定アプリケーションプログラムに対するユーザの利用の有無を判別する特定アプリケーションプログラム利用有無判別処理を実行して、ユーザの利用が無いと判別したとき測位手段に対する電源供給を停止させるようにしている。ユーザの利用が無いと判別したとき直ちに測位手段に対する電源供給を停止させてもよいし、少なくともその時点から前記した所定時間は測位手段に対する電源供給を行うように、電源供給を停止するまでに猶予時間を設定してもよい。
【発明の効果】
【００１８】
以上説明したように本発明によれば、ユーザが測位手段への電源供給の停止、あるいは測位手段の処理結果を使用する特定アプリケーションプログラムの使用を停止するといった直接的な処理を行わなくても、結果的に特定アプリケーションプログラムを起動しておく必要が無いと判別される場合には測位手段への電源供給を停止することにしたので、ユーザが測位を中止する具体的な操作を忘れたような場合にも、電子機器の消費電力を低減することができる。もちろん、ユーザの利用が無しと判別された場合でも、タイマを使用して測位手段への電源供給を停止するまでに猶予時間を設定すれば、たとえばその間のユーザのアクションによって測位手段への電源供給を継続して行えることになり、測位の処理の中断を避けることができる。また、これにより測位を再度行う場合の測位開始までの待ち時間を不要にすることができる。
【発明を実施するための最良の形態】
【００１９】
以下実施例につき本発明を詳細に説明する。
【実施例１】
【００２０】
図１は、本発明の一実施例における電子機器としての携帯電話機の構成の概容を表わしたものである。この携帯電話機１００は、ＣＰＵ（Central Processing Unit）１０１を備えて装置の全体的な制御を行う演算処理部１０２を備えている。演算処理部１０２は、装置内の各部と接続されている。このうち通信制御部１０３は図示しない基地局との通信を行う通信用アンテナ１０４を備えており、通話や電子メールの送受信およびインターネットへのアクセスを可能にしている。測位処理部１０５は測位用アンテナ１０６を備えており、図示しない複数の通信衛星からそれぞれ送出される衛星自身の正確な軌道情報としてのエフェメリスと、全衛星のおおざっぱな軌道情報としてのアルマナックを受信して測位を行う。測位の精度によっては、測位用アンテナ１０６が図示しない陸上局からの補正信号を受信してＧＰＳ（Global Positioning System）による測位の結果を補正してもよい。【００２１】
表示部１０７は、液晶ディスプレイあるいは有機ディスプレイからなり、文字や画像等の視覚的な情報を表示する。タイマ１０８は所定時間を計時する回路であるが、ＣＰＵ１０１の動作クロックあるいはこれを適宜分周したクロックを計数してソフトウェア的に実現することができる。折り畳み検出スイッチ１０９は、この携帯電話機１０１を折り畳んだときにこれを検出するセンサである。このようなセンサは、マイクロスイッチのような機械的なセンサや、光学センサあるいは磁気センサ等の各種センサで構成することができる。【００２２】
記憶部１１１は、ＲＡＭ（Random Access Memory）、ＲＯＭ（Read Only Memory）あるいは磁気ディスク等の記憶媒体から構成されている。記憶部１１１は、ＣＰＵ１０１が実行する制御プログラムを保持すると共に、その実行の際に必要なデータを一時的に格納する作業用メモリ領域等のメモリ領域を配置している。通信制御部１０３が受信した地図データも記憶部１１１の所定の領域に格納されるようになっている。ＣＰＵ１０１が実行する制御プログラムには、測位処理部１０５がトラッキング処理を実行するためのアプリケーションプログラムも含まれている。【００２３】
電源供給部１１２は２次電池からなる電源部１１３と接続されており、測位処理部１０５等の特定部品に対する電源の供給を制御することで消費電力の節減を図っている。操作部１１４は、ダイヤルキー、図示しないファンクションキー等の各種キースイッチによって構成されている。表示部１０７の上に図示しないタッチパネルを配置してもよい。【００２４】
このような本実施例の携帯電話機１００で、測位処理部１０５は、測位用アンテナ１０６から受信した図示しない通信衛星の電波情報を基にして現在地点の緯度、経度情報を生成する。測位処理部１０５は、連続的に測位動作を行うトラッキング処理を行えるようになっている。演算処理部１０２は測位処理部１０５が取得した測位データを入力すると共に、通信アンテナ１０４から通信制御部１０３を経て受信した地図データ上での現在地点を計算する。そして、その結果としての表示データを表示部１０７に出力して表示したり、地図データや測位データを記憶部１１１に格納する。表示部１０７は、ユーザが操作部１１４を操作する際のインタフェースの役割を果たしている。【００２５】
タイマ１０８は、たとえばユーザが携帯電話機１００の使用を終了してこれを折り畳んだとき、あるいは通話等の測位以外の機能を使用し始めたときのように、測位が中断状態となったような場合に、それからの経過時間を計時するようになっている。そして、予め定めた所定時間が経過すると、測位のための処理を終了させる。その所定時間が経過する前にユーザが折り畳まれた携帯電話機１００を開いた場合のように測位の結果を使用する可能性のある所定のアクションを行った場合、タイマ１０８による計時動作はリセットされるようになっている。【００２６】
図２は、本実施例の携帯電話機の外観を表わしたものである。携帯電話機１００は、第１の筐体１３１と第２の筐体１３２がヒンジ機構１３３を介して折り畳み自在な構造となっている。第１の筐体１３１には表示部１０７が配置されており、第２の筐体１３２には操作部１１４が配置されている。ヒンジ機構１３３内には、回転角で折り畳みの有無を判別する折り畳み検出スイッチ１０９が配置されている。【００２７】
図３は、ナビゲーションシステムのアプリケーションプログラムが起動された場合の携帯電話機の処理の流れを表わしたものである。図１と共に説明する。ユーザが操作部１１４から所定の操作を行ってナビゲーションシステムのアプリケーションプログラムが起動すると、ＣＰＵ１０１は、電源供給部１１２に測位処理部１０５への電源供給を指示すると共に、一定時間置きに測位を行うトラッキング処理の開始を測位処理部１０５に指示する（ステップＳ２０１）。これにより、測位処理部１０５はトラッキング処理を実行する（ステップＳ２０２）。【００２８】
この状態でＣＰＵ１０１はトラッキング処理によって得られた測位結果をこの携帯電話機１００が利用しない状態になっているかを判別する（ステップＳ２０３）。携帯電話機１００が測位結果を利用しない状態になったとは、たとえば次の状態のいずれかに該当するようになった場合をいう。【００２９】
（１）折り畳み検出スイッチ１０９が携帯電話機１００の折り畳みを検出したとき。
（２）測位結果を利用できないような障害がトラッキング処理を行うアプリケーションプログラムに発生したことが検出されたとき。
（３）ユーザがトラッキング処理を行うアプリケーションプログラムの実行の中止または終了を指示したとき。【００３０】
いずれの場合にも該当しないとき、すなわちトラッキング処理の継続が予定されているとき（Ｎ）、ＣＰＵ１０１はタイマ１０８が計時動作中であるかどうかをチェックする（ステップＳ２０４）。そして、タイマ１０８が計時動作を行っていなければ（Ｎ）、ステップＳ２０２に戻ってトラッキング処理を続行させる。【００３１】
ある時点で、たとえばユーザが携帯電話機１００を折り畳んだとする。これにより、表示部１０７の表示内容は見えなくなる。したがって、ユーザは少なくとも一時的に測位結果を見ない意思を示したことが分かる。そこで、このように測位結果を利用しない状態になったことがＣＰＵ１０１によって検出されると（ステップＳ２０３：Ｙ）、タイマ１０８が計時動作を行っているかどうかがチェックされ（ステップＳ２０５）、動作中でなければ（Ｎ）、タイマ１０８が計時動作を開始する（ステップＳ２０６）。そして、ステップＳ２０２に戻って、タイマ１０８が計時動作を満了する前は（ステップＳ２０７：Ｎ）、トラッキング処理を継続する。【００３２】
タイマ１０８が動作中である場合（ステップＳ２０５：Ｙ）、タイマ１０８が計時動作を満了すると（ステップＳ２０７：Ｙ）、計時動作が停止されると共に計時結果がリセットされて（ステップＳ２０８）、ＣＰＵ１０１は測位処理部１０５の測位を停止させると共に電源供給部１１２に指示して測位処理部１０５への電源供給を停止させる（ステップＳ２０９）。【００３３】
一方、トラッキング処理が行われ（ステップＳ２０２）、その測位結果をこの携帯電話機１００が利用しない状態と判別されないとき（ステップＳ２０３：Ｎ）、タイマ１０８が計時動作を行っていれば（ステップＳ２０４：Ｙ）、計時が停止されると共に計時結果がリセットされて（ステップＳ２１０）、ステップＳ２０２の処理に戻ることになる。これは、たとえばユーザが携帯電話機１００を折り畳んだが、その操作が誤りだとして表示部１０７が見えるように元の開いた状態に戻したような場合である。【００３４】
このように本実施例ではユーザが測位結果を利用しない状態になった場合（ステップＳ２０３：Ｙ）、タイマ１０８が起動して所定時間の間はトラッキング処理が継続して行われるようにした。そして、その間に測位結果を利用する状態に復帰した場合にはタイマ１０８の計時動作を停止させると共に、今まで計時した時間を零にリセットすることにした。このため、タイマ１０８が計時を完了する前に測位結果を利用する状態に復帰すれば、測位を完全に停止した場合に測位が再度可能になるまでの初期測位時間（ＴＴＦＦ；Time to First Fix）を待つこと無しに、トラッキング処理を行うことができることになる。【００３５】
もちろん、ユーザが測位結果を利用しない状態になり、かつタイマ１０８が所定時間を計時した場合には、ユーザがナビゲーションシステムのアプリケーションプログラムを終了させなくても測位処理部１０５への電源の供給が絶たれる。したがって、携帯電話機１００の節電が一層図られることになる。【００３６】
以上説明した実施例の他に、携帯電話機１００にユーザがアプリケーションプログラムを利用しないと判別するアクション内容を予め登録しておいて、それによりユーザが測位利用の意思を有しないとみなされたときに、同様のタイマ１０８の起動処理を行うことは可能である。たとえば、携帯電話機１００に加速度センサや姿勢を検知するセンサを設けておき、ユーザが表示部１０７を下側に向けたまま一定時間を経過したような場合には、測位の表示を見る意思がないものとして測位処理部１０５への電源の供給を絶ったり、表示部１０７のバックライト（図示せず）を消灯させるような制御を電源供給部１１２に行わせるようにしてもよい。【００３７】
また、たとえば処理能力との関係で、ナビゲーションシステムのアプリケーションプログラムを起動した状態で他のアプリケーションプログラムが起動した場合には、測位の処理を中止または停止することにした携帯電話機１００の場合には、これと連動する形で測位処理部１０５への電源の供給のオン・オフを制御するようにしてもよい。【００３８】
＜発明の第１の変形例＞【００３９】
図４は、この第１の変形例におけるナビゲーションシステムのアプリケーションプログラムが起動された場合の携帯電話機の処理の流れを表わしたものである。図１と共に説明する。また、図４で図３と同一の処理には同一のステップ番号を付けており、これらの説明を適宜省略する。この変形例の携帯電話機１００Ａでは、たとえばナビゲーションシステムのアプリケーションプログラムが起動されてトラッキング処理が実行されている状態で（ステップＳ２０２）、ユーザが付属の図示しないカメラのアプリケーションプログラムを起動して静止画あるいは動画の撮影を行おうとしたときには（ステップＳ３０１：Ｙ）、表示部１０７に「所定時間経過後にナビゲーションを停止します。」という警告表示が行われて（ステップＳ３０２）、タイマ１０８が起動される（ステップＳ２０６）。警告表示は省略してもよい。あるいはタイマ１０８が計時を行っている間、警告表示が行われてもよい。【００４０】
この第１の変形例では、カメラのアプリケーションプログラムを起動したとき、表示部１０７で撮影用の画像とナビゲーションシステムによる地図や経緯度の表示が競合するので、所定時間以内にユーザがカメラのアプリケーションプログラムを停止させない限り、ナビゲーションシステムのアプリケーションプログラムによる測位は停止して、測位処理部１０５への電源の供給も絶たれることになる（ステップＳ２０９）。【００４１】
一方、カメラのアプリケーションプログラムの起動用のボタン（図示せず）を間違って押したような場合、ユーザは警告表示（ステップＳ３０２）によって操作ミスに気が付きカメラのアプリケーションプログラムの起動を停止させる。したがって、この取り消し動作が所定時間内に行われれば（ステップＳ２０７：Ｎ）、ナビゲーションシステムのアプリケーションプログラムは実行中であるので、トラッキング処理が継続して行われることになる（ステップＳ２０２）。【００４２】
この第１の変形例では、ナビゲーションシステムのアプリケーションプログラムが起動された場合に他のアプリケーションプログラムが起動されれば常にタイマ１０８が計時動作を開始するものとして説明したが、表示部１０７の表示動作が競合し、ユーザが測位結果を利用しない状態になったと判断される場合に限定してもよい。ただし、この場合には図３で説明した制御の範囲内となる。【００４３】
＜発明の第２の変形例＞【００４４】
図５は、本発明の第２の変形例における携帯電話機の外観を表わしたものである。この第２の変形例の携帯電話機１００Ｂでは、表示部１０７と操作部１１４が同一の筐体４０１上に配置されており、これを保護するカバー４０２が開閉自在に配置されている。この携帯電話機１００Ｂでは、カバー４０２が閉じて表示部１０７と操作部１１４を覆った状態で、表示部１０７の近傍に突出した突起４０３が押し下げられ、筐体４０１の内部に配置された図示しないカバー検出スイッチがカバー４０２が閉じた状態を検出するようになっている。【００４５】
カバー４０２が閉じた状態が検出されると、図２で示した折り畳み検出スイッチ１０９が携帯電話機１００の折り畳みを検出したと同様に、図３で説明したようにタイマ１０８（図１）が起動することになる。このように折り畳み式の携帯電話機以外にも本発明を適用することができる。【００４６】
なお、実施例および第１の変形例ではタイマ１０８を起動して測位の処理が終了するまでに所定の猶予時間を設定したが、発生する事象によってはタイマ１０８を起動させず、直ちに測位の処理を終了させるようにしてもよい。また、本発明は携帯電話機のみに適用されるものではなく、ＰＨＳ、ＰＤＡ等の測位処理を行うことのできる各種の電子機器に適用可能であることも当然である。【００４７】
この出願は、２００６年１０月１０日に出願された日本出願特願２００６−２７６３５９を基礎とする優先権を主張し、その開示の全てをここに取り込む。
【図面の簡単な説明】
【００４８】
【図１】本発明の一実施例における電子機器としての携帯電話機の回路構成の概容を表わした概略構成図である。
【図２】本実施例の携帯電話機の外観を表わした斜視図である。
【図３】本実施例でナビゲーションシステムのアプリケーションプログラムが起動された場合の携帯電話機の処理の流れ図である。
【図４】本発明の第１の変形例におけるナビゲーションシステムのアプリケーションプログラムが起動された場合の携帯電話機の処理の流れ図である。
【図５】本発明の第２の変形例における携帯電話機の外観を表わした斜視図である。
【符号の説明】
【００４９】
１００、１００Ｂ    携帯電話機
１０１    ＣＰＵ
１０２    演算処理部
１０３    通信制御部
１０５    測位処理部
１０６    測位用アンテナ
１０７    表示部
１０８    タイマ
１０９    折り畳み検出スイッチ
１１１    記憶部
１１２    電源供給部
１１３    電源部
４０２    カバー
４０３    突起
【図１】
2008044416.tif 000003
【図２】
2008044416.tif 000004
【図３】
2008044416.tif 000005
【図４】
2008044416.tif 000006
【図５】
2008044416.tif 000007
【国際調査報告】
2008044416.tif 000008
2008044416.tif 000009